(57)【要約】  【課題】背面上部に圧縮機を収納する冷蔵庫において、設置環境により、放熱効率が低下するという課題を解決する。  【解決手段】外箱２の上面後端部５と、背面上端部６に連続した凹部７内に圧縮機９を備え、カバー１３の背面および上面には凹部１９が形成され、凹部１９には開口穴１４、１５を設け、カバー１３の略背面垂直面２２と冷蔵庫本体背面板１８とは段差２３を有することで、冷蔵庫本体１を壁に押し当てて使用した場合においても、カバー１３背面からの放熱を効率よく行うことができる。また、冷蔵庫本体の天面部に物を置かれても、圧縮機周辺の放熱を効率よく行うことができる。【選択図】図１
2007040599.tif 000002
【特許請求の範囲】
【請求項１】
冷蔵庫本体の上面後端部及び背面上端部に連続して窪ませた凹部と、前記凹部の両側面に位置する冷蔵庫本体の側壁部と、前記凹部内に設置する圧縮機と、前記凹部を覆うカバーを備え、前記カバー背面後方に空間が形成されるように前記冷蔵庫本体背面と前記カバー背面とは段差を有することを特徴とする冷蔵庫。
【請求項２】
前記カバー背面に開口穴を備え、前記開口穴の後方に空間が形成されるように前記冷蔵庫本体背面と前記カバー背面とは段差を有することを特徴とする請求項１に記載の冷蔵庫。
【請求項３】
冷蔵庫本体の上面後端部及び背面上端部に連続して窪ませた凹部と、前記凹部の両側面に位置する冷蔵庫本体の側壁部と、前記凹部内に設置する圧縮機と、前記凹部を覆うカバーを備え、前記カバー上面もしくは背面に開口穴を有し、前記開口穴は前記カバーの凹部に形成したことを特徴とする冷蔵庫。
【請求項４】
冷蔵庫本体の上面後端部及び背面上端部に連続して窪ませた凹部と、前記凹部の両側面に位置する冷蔵庫本体の側壁部と、前記凹部内に設置する圧縮機と、前記凹部を覆うカバーを備え、前記カバー上面もしくは背面に開口穴を有し、前記開口穴近傍に凸部を形成したことを特徴とする冷蔵庫。
【請求項５】
冷蔵庫本体の上面後端部及び背面上端部に連続して窪ませた凹部と、前記凹部の両側面に位置する冷蔵庫本体の側壁部と、前記凹部内に設置する圧縮機と、前記凹部を覆うカバーを備え、前記カバー上面もしくは背面に開口穴を有し、前記開口穴は前記カバーの凸部に形成したことを特徴とする冷蔵庫。
【請求項６】
冷蔵庫本体の上面後端部及び背面上端部に連続して窪ませた凹部と、前記凹部の両側面に位置する冷蔵庫本体の側壁部と、前記凹部内に設置する圧縮機と、前記凹部を覆うカバーを備え、前記カバー上面もしくは背面に開口穴を有し、前記開口穴は前記カバーの傾斜部に形成したことを特徴とする冷蔵庫。
【請求項７】
前記傾斜部は前記カバーの端部に形成したことを特徴とする請求項６に記載の冷蔵庫。
【請求項８】
前記カバーの傾斜部は別部品で構成したことを特徴とする請求項７に記載の冷蔵庫。
【発明の詳細な説明】
【技術分野】
【０００１】
本発明は、圧縮機を冷蔵庫上部に備えた冷蔵庫に関する。
【背景技術】
【０００２】
近年、一般家庭の食生活の多様化より、冷蔵庫の大型化が進んでいる。また、日本においては、住宅事情から設置面積を大きく取りにくい等の理由で、冷蔵庫の高さを高くする傾向がある。このとき、冷蔵庫庫内奥面最上部については、手が届きにくく非常につかいにくいスペースであることが知られている。また、冷蔵庫を冷却するためのコンプレッサー等の冷却ユニット類は、従来から冷蔵庫奥面最下部への設置が大半を占めていた。しかし、前記の理由から、冷却ユニットを前記冷蔵庫の奥面最上部に設置することも考えられている。ここで、冷却ユニットを前記冷蔵庫の奥面最上部に設置する場合、前記冷却ユニットの放熱性を高めるために、前記冷却ユニット背面叉は、上部を覆う金属製または、樹脂製のカバーに複数の子穴を設け放熱口としていることが知られている（例えば、特許文献１参照）。
【０００３】
図９は特許文献１に記載された従来の冷蔵庫の背面分解斜視図を示すものである。
【０００４】
図９に示すように、冷蔵庫本体１０１と、外箱１０２、内箱１０３、外箱１０２と内箱１０３の間には、発泡断熱材１０４が発泡充填している。外箱１０２の上面後端部１０５と、背面上端部１０６に連続した凹部１０７が設けられている。凹部１０７の底面１０８に、圧縮機１０９が防振材１１０により設置する。１１１は放熱器で、凹部１０７の底面１０８に取り付いている。１１２は、圧縮１０９及び、放熱器１１１等を冷却するためのファンモータで、凹部１０７に内蔵し取り付く。
【０００５】
１１３は、凹部１０７を覆うカバーで、鉄板等の成形品で形成している。カバー１１３の背面部には、第一の複数の穴１１４が開口する。さらに、カバー１１３の上面部には第２の穴１１５が開口している。カバー１１３は、冷蔵庫本体１０１にビス等の締結部品１１６で固着する。
【０００６】
本構成により、前記凹部に内蔵のファンモータ１１２の回転により、カバー１１３の上面部穴１１５から、カバー１１３の外側の空気が吸い込まれ、放熱器１１１と圧縮機１０９等を冷却後、カバー１１３の背面側穴１１４よりカバー１１３の外へ排出される。１１８は冷蔵庫本体１０１の背面に位置する背面板で、外箱１０２の背面にビスまたは、嵌合により固着する。このとき、カバー１１３の背面部と背面板１１８は同一平面上に位置し、取り付いている。
【特許文献１】特開２００１−９９５５２号公報
【発明の開示】
【発明が解決しようとする課題】
【０００７】
しかしながら、上記従来の構成では、冷蔵庫本体の背面部を室内の壁に押し当てて使用した場合、カバー１１３と、室内の壁が密着、又は近接し、カバー１１３の背面側穴１１４を塞いでしまい凹部１０７内の空気の循環が悪くなり、冷却ユニットである放熱器１１１及び、圧縮機１０９の冷却効果が悪くなる。更に、冷蔵庫本体の上面部１０５に箱状の物が置かれた場合、同様に穴１１５が塞がれ、放熱効果の妨げになるという課題があった。
【課題を解決するための手段】
【０００８】
上記従来の課題を解決するために、本発明の冷蔵庫は、冷蔵庫本体の上面後端部及び背面上端部に連続して窪ませた凹部と、前記凹部の両側面に位置する冷蔵庫本体の側壁部と、前記凹部内に設置する圧縮機と、前記凹部を覆うカバーを備え、前記カバー背面後方に空間が形成されるように前記冷蔵庫本体背面と前記カバー背面とは段差を有するものである。
【０００９】
これにより、圧縮機を上部凹部に備えた冷蔵庫において、カバー背面後方に確実に空間を形成することができる。
【００１０】
また、冷蔵庫本体の上面後端部及び背面上端部に連続して窪ませた凹部と、前記凹部の両側面に位置する冷蔵庫本体の側壁部と、前記凹部内に設置する圧縮機と、前記凹部を覆うカバーを備え、前記カバー上面もしくは背面に開口穴を有し、前記開口穴は前記カバーの凹部に形成したものである。
【００１１】
これにより、圧縮機を上部凹部に備えた冷蔵庫において、カバーの上面もしくは背面の開口穴周辺に確実に空間を形成することができる。
【発明の効果】
【００１２】
本発明の冷蔵庫は、圧縮機を冷蔵庫上部に備えることで、庫内の収納効率が向上するとともに、冷蔵庫を設置する背面側の壁に密着して設置されたり、冷蔵庫本体の天面部に物を置かれても、圧縮機周辺の放熱を効率よく行うことができる。
【発明を実施するための最良の形態】
【００１３】
請求項１に記載の発明は、冷蔵庫本体の上面後端部及び背面上端部に連続して窪ませた凹部と、前記凹部の両側面に位置する冷蔵庫本体の側壁部と、前記凹部内に設置する圧縮機と、前記凹部を覆うカバーを備え、前記カバー背面後方に空間が形成されるように前記冷蔵庫本体背面と前記カバー背面とは段差を有するものであり、圧縮機を上部凹部に備えた冷蔵庫において、冷蔵庫を設置する背面側の壁に密着して設置されても、カバー背面後方に確実に空間を形成することができ、圧縮機周辺の放熱を効率よく行うことができる。
【００１４】
請求項２に記載の発明は、請求項１に記載の発明において、前記カバー背面に開口穴を備え、前記開口穴の後方に空間が形成されるように前記冷蔵庫本体背面と前記カバー背面とは段差を有するものであり、圧縮機収納部（凹部）のスペースを有効利用したうえで、圧縮機周辺の放熱を効率よく行うことができる。
【００１５】
請求項３に記載の発明は、冷蔵庫本体の上面後端部及び背面上端部に連続して窪ませた凹部と、前記凹部の両側面に位置する冷蔵庫本体の側壁部と、前記凹部内に設置する圧縮機と、前記凹部を覆うカバーを備え、前記カバー上面もしくは背面に開口穴を有し、前記開口穴は前記カバーの凹部に形成したものであり、圧縮機を上部凹部に備えた冷蔵庫において、カバーの上面もしくは背面の開口穴周辺に確実に空間を形成することができ、圧縮機周辺の放熱を効率よく行うことができる。
【００１６】
請求項４に記載の発明は、冷蔵庫本体の上面後端部及び背面上端部に連続して窪ませた凹部と、前記凹部の両側面に位置する冷蔵庫本体の側壁部と、前記凹部内に設置する圧縮機と、前記凹部を覆うカバーを備え、前記カバー上面もしくは背面に開口穴を有し、前記開口穴近傍に凸部を形成したものであり、圧縮機を上部凹部に備えた冷蔵庫において、カバーの上面もしくは背面の開口穴周辺に確実に空間を形成することができ、圧縮機周辺の放熱を効率よく行うことができる。
【００１７】
請求項５に記載の発明は、冷蔵庫本体の上面後端部及び背面上端部に連続して窪ませた凹部と、前記凹部の両側面に位置する冷蔵庫本体の側壁部と、前記凹部内に設置する圧縮機と、前記凹部を覆うカバーを備え、前記カバー上面もしくは背面に開口穴を有し、前記開口穴は前記カバーの凸部に形成したものであり、圧縮機を上部凹部に備えた冷蔵庫において、カバーの上面もしくは背面の開口穴周辺に確実に空間を形成することができ、圧縮機周辺の放熱を効率よく行うことができる。
【００１８】
請求項６に記載の発明は、冷蔵庫本体の上面後端部及び背面上端部に連続して窪ませた凹部と、前記凹部の両側面に位置する冷蔵庫本体の側壁部と、前記凹部内に設置する圧縮機と、前記凹部を覆うカバーを備え、前記カバー上面もしくは背面に開口穴を有し、前記開口穴は前記カバーの傾斜部に形成したものであり、圧縮機を上部凹部に備えた冷蔵庫において、カバーの上面もしくは背面の開口穴周辺に確実に空間を形成することができ、圧縮機周辺の放熱を効率よく行うことができる。
【００１９】
請求項７に記載の発明は、請求項６に記載の発明において、前記傾斜部は前記カバーの端部に形成したものであり、圧縮機収納部（凹部）のスペースを有効利用したうえで、圧縮機周辺の放熱を効率よく行うことができる。
【００２０】
請求項８に記載の発明は、請求項７に記載の発明において、前記カバーの傾斜部は別部品で構成したものであり、一体で構成するものに比べ、傾斜部の設計自由度が高まるとともに、幅方向の異なる冷蔵庫の傾斜部の兼用化が可能になり、低コスト化を図ることができる。
【００２１】
以下、本発明の実施の形態について、図面を参照しながら説明する。なお、この実施の形態によってこの発明が限定されるものではない。
【００２２】
（実施の形態１）
図１は本発明の実施の形態１における冷蔵庫の背面分解斜視図、図２は同実施の形態の冷蔵庫の背面斜視図である。
【００２３】
図１に示すように、冷蔵庫本体１と、外箱２、内箱３、外箱２と内箱３の間には、発泡断熱材４が発泡充填している。外箱２の上面後端部５と、背面上端部６に連続した凹部７が設けられている。凹部７の底面８に、圧縮機９が防振材１０を介し設置する。１１は放熱器の一部で、凹部７内に取り付いている。１２は、圧縮機９及び、放熱器１１等を冷却するためのファンモータで、凹部７に内蔵し取り付く。１３は、凹部７を覆うカバーで、鉄板等の成形品で形成している。１４、１５はカバー１３のそれぞれ背面側と上面側に開口する開口穴でそれぞれ複数開口する。カバー１３は、冷蔵庫本体１にビス等１６の締結部品で固着している。そしてカバー１３の背面および上面には凹部１９が形成され、凹部１９には開口穴１４、１５が配置されている。
【００２４】
また、カバー１３の略背面垂直面２２と、冷蔵庫本体背面板１８とは段差２３を有し、カバー１３背面後方に空間が形成される。また、背面板１８の両側部には傾斜した切り欠き部１８ａを有し、切り欠き部１８ａの端部とカバー１３の略背面垂直面２２とを略同一としている。
【００２５】
上記構成により、冷蔵庫本体１を壁に押し当てて使用した場合においても、カバー１３の略背面垂直面２２と冷蔵庫本体背面板１８との段差２３により、カバー１３背面後方に空間が形成され、圧縮機を収納した凹部７を覆うカバー１３背面からの放熱を効率よく行うことができる。
【００２６】
また、カバー１３の背面および上面には凹部１９が形成され、凹部１９には開口穴１４、１５が配置されているので、カバー１３の上面もしくは背面の開口穴周辺に確実に空間を形成することができ、冷蔵庫本体の天面部に物を置かれても、圧縮機周辺の放熱を効率よく行うことができる。
【００２７】
（実施の形態２）
図３は本発明の実施の形態２における冷蔵庫の背面分解斜視図である。なお、実施の形態１と同一構成については、同一符号を付して詳細な説明は省略する。
【００２８】
図３において、カバー１３の略垂直面２４および水平面２５には複数の開口穴２６が開口する。そして、カバー１３の水平面２５の前方で開口穴２６の近傍には、幅方向に略全幅に亘って凸部２７が形成されている。
【００２９】
上記構成により、冷蔵庫の天面に物が置かれた場合、凸部２７がストッパの役目を果たし、開口穴２６の上方空間を確実に確保でき、圧縮機周辺の放熱を効率よく行うことができる。また、たとえ天面に置かれた物が凸部２７を乗り越えて奥側に配置されても、凸部２７の段差により開口穴２６が完全に塞がれてしまうこともない。
【００３０】
（実施の形態３）
図４は本発明の実施の形態３における冷蔵庫の背面分解斜視図である。なお、前記実施の形態と同一構成については、同一符号を付して詳細な説明は省略する。
【００３１】
図４において、カバー１３の略垂直面２４および水平面２５には複数の開口穴２６が開口する。そして、開口穴２６の両側端部には略垂直面２４から水平面２５に連続して凸部２８を形成している。
【００３２】
上記構成により、冷蔵庫の天面に物が置かれた場合、凸部２８がストッパの役目を果たし、開口穴２６の上方空間を確実に確保でき、圧縮機周辺の放熱を効率よく行うことができる。また、冷蔵庫本体１を壁に押し当てて使用した場合においても、略垂直面２４の凸部２８によりカバー１３背面後方に空間が形成され、圧縮機を収納した凹部７を覆うカバー１３背面からの放熱を効率よく行うことができる。
【００３３】
（実施の形態４）
図５は本発明の実施の形態４における冷蔵庫の背面分解斜視図である。なお、前記実施の形態と同一構成については、同一符号を付して詳細な説明は省略する。
【００３４】
図５において、カバー１３の略垂直面２４および水平面２５には複数の開口穴２６が開口する。そして、カバー１３の水平面２５には、圧縮機を収納した凹部７の幅と略同一の凸部２９を形成し、凸部２９には複数の開口穴２６を配置している。
【００３５】
上記構成により、冷蔵庫の天面に物が置かれた場合、凸部２９の外周段部がストッパの役目を果たし、開口穴２６の上方空間を確実に確保でき、圧縮機周辺の放熱を効率よく行うことができる。また、凸部２９に開口穴２６を形成しているので、凹部７の圧縮機収納スペースを有効に利用することができ、冷蔵庫内の容積効率を高めることができる。
【００３６】
なお、開口穴２６を凸部２９の外周段部の傾斜部に設けてもよい。これにより、さらに圧縮機周辺の放熱を効率よく行うことができる。
【００３７】
（実施の形態５）
図６は本発明の実施の形態５における冷蔵庫の背面分解斜視図、図７は同実施の形態の冷蔵庫の背面斜視図、図８は同実施の形態の冷蔵庫の背面分解斜視図である。なお、前記実施の形態と同一構成については、同一符号を付して詳細な説明は省略する。
【００３８】
図６において、カバー１３の水平面２５の端部には下方に傾斜した傾斜部３０を形成し、傾斜部３０には開口穴３１を備えている。そして、カバー１３の垂直面２５の端部にも開口穴３３を備えた傾斜部３２を形成し、背面板１８の両側部に形成した切り欠き部３４の面と傾斜部３２の面を略同一としている。
【００３９】
なお、傾斜部３０と傾斜部３２は連続しており、傾斜部３０と傾斜部３２を一体に構成した傾斜部材３５を、図８のように別部品で構成してもよい。
【００４０】
上記構成により、冷蔵庫の天面に物が置かれた場合でも、カバー１３の水平面２５の端部に備えた傾斜部３０により、開口穴３１の上方空間を確実に確保でき、圧縮機周辺の放熱を効率よく行うことができる。また、カバー１３の垂直面２５の傾斜部３２と傾斜部３０は連続し、かつ背面板１８の両側部に形成した切り欠き部３４の面と傾斜部３２の面を略同一としているので、冷蔵庫を壁面に押し付けた状態でも切り欠き部３４の空間から上方に空気が流れやすく傾斜部３０からの放熱効率も高まる。
【００４１】
また、傾斜部３０と傾斜部３２を一体に構成した傾斜部材３５を別部品で構成することにより、一体で構成するものに比べ、傾斜部３０の設計自由度が高まるとともに、幅方向の異なる冷蔵庫の傾斜部材３５の兼用化が可能になり、低コスト化を図ることができる。
【産業上の利用可能性】
【００４２】
以上のように、本発明にかかる冷蔵庫は、冷蔵庫の背面壁を部屋の壁等に密着して使用された場合、更に、冷蔵庫上部に異物を設置された場合においても圧縮機等を内蔵する機械室内に外気を効率よく導入、排出することから安定した冷却効果を得ることを可能とし、冷蔵庫に限らず自動販売機、ショーケース等の用途にも適用できる。
【図面の簡単な説明】
【００４３】
【図１】本発明の実施の形態１における冷蔵庫の背面分解斜視図
【図２】同実施の形態における冷蔵庫の背面斜視図
【図３】本発明の実施の形態２における冷蔵庫の背面分解斜視図
【図４】本発明の実施の形態３における冷蔵庫の背面分解斜視図
【図５】本発明の実施の形態４における冷蔵庫の背面分解斜視図
【図６】本発明の実施の形態５における冷蔵庫の背面分解斜視図
【図７】同実施の形態における冷蔵庫の背面斜視図
【図８】同実施の形態における冷蔵庫の背面分解斜視図
【図９】従来の冷蔵庫の背面分解斜視図
【符号の説明】
【００４４】
１    冷蔵庫本体
５    上面後端部
６    背面上端部
７    凹部
９    圧縮機
１３  カバー
１４、１５、２６  開口穴
１８  背面板
１９  凹部
２３  段差
２４  垂直面
２５  水平面
２７、２８、２９  凸部
３０、３２  傾斜部
【図１】
2007040599.tif 000003
【図２】
2007040599.tif 000004
【図３】
2007040599.tif 000005
【図４】
2007040599.tif 000006
【図５】
2007040599.tif 000007
【図６】
2007040599.tif 000008
【図７】
2007040599.tif 000009
【図８】
2007040599.tif 000010
【図９】
2007040599.tif 000011